(57)【要約】      （修正有）【課題】空気清浄機を空気調和機の運転状況に左右されずに運転でき、常に清浄化したエアーのみを空気調和機に送り内部の汚れを防ぐと共に、空気調和機の停止時も空気清浄機を運転してエアーを清浄化することができる空気清浄機付空気調和システムを提供する。【解決手段】少なくとも１ｍｍＨ２Ｏ以上の加圧状態を保持できるチャンバー２内の上流側に空気清浄機３をその下流側に空気調和機４をそれぞれ設置し、チャンバー２に吸気口５並びに空気清浄機側排気口６及び空気調和機側排気口７を設ける。さらに、空気清浄機３におけるファン８の送風量を少なくとも空気調和機４におけるファン９の送風量より大に設定して、チャンバー２内を空気清浄機３を通過した後の清浄化エアーにて加圧状態を常時保持し、清浄化エアーのみが空気調和機４内を通過するようにして、空気調和システムを構成する。【選択図】図１
0003162730.tif 000002
【実用新案登録請求の範囲】
【請求項１】
少なくとも１ｍｍＨ２Ｏ以上の加圧状態を保持できるチャンバー内の上流側に空気清浄機を、その下流側に空気調和機をそれぞれ設置し、前記チャンバーに吸気口並びに空気清浄機側排気口及び空気調和機側排気口を設けてなり、前記空気清浄機におけるファンの送風量を少なくとも前記空気調和機におけるファンの送風量より大に設定して、前記チャンバー内を前記空気清浄機内を通過した後の清浄化エアーにて加圧状態を保持し、清浄化エアーのみが前記空気調和機内を通過するようにしたことを特徴とする空気清浄機付空気調和システム。
【請求項２】
前記空気清浄機側排気口におけるエアー通過抵抗は、前記空気調和機及び空気調和機側排気口における総エアー通過抵抗よりも大に設定した請求項１記載の空気清浄機付空気調和システム。
【請求項３】
前記チャンバーは、建造物内の部屋の一部を仕切板にて区画することにより形成した請求項１または２記載の空気清浄機付空気調和システム。
【考案の詳細な説明】
【技術分野】
【０００１】  本考案は、空気清浄機と空気調和機とを一体化したシステムに関し、詳しくは、加圧状態を保持できるチャンバー内の上流側に空気清浄機をその下流側に空気調和機を設置し、チャンバーに吸気口並びに空気清浄機側排気口及び空気調和機側排気口を設けて、空気清浄機内のファン容量を空気調和機内のファン容量より大に設定して、清浄化エアーのみが空気調和機内を通過するようにした空気清浄機付空気調和システムに関する。
【背景技術】
【０００２】  建造物内の部屋、例えば、喫煙室に設置された冷暖房用などの空気調和機では、煙草のけむりを直接吸引することになるので、空気調和機内のプレフィルターや熱交換器のフィンに煙草のけむりが付着して著しく汚れることになる。すなわち、プレフィルターの目詰まりによる送風量低下、熱交換フィンの汚れによる熱交換効率の低下、空気調和機の内面全体に付着した煙草のけむりのヤニによる悪臭の拡散並びにこれらを解消のための厄介な洗浄作業を伴うなどの、大きな不都合が生じることになる。【０００３】  このような状況から、空気調和機に送るエアーを事前に空気清浄機にて清浄化する試みがなされている。この空気清浄機付の空気調和機は、これの吸気口の上流側に、プレフィルター、電気集塵機及び脱臭フィルターからなる空気清浄機を、着脱容易に取り付け、空気清浄機の清掃などのメンテナンスを行い易くしたものである（特開平０９−１２６５１０号公報参照）。
【先行技術文献】
【特許文献】
【０００４】
【特許文献１】特開平０９−１２６５１０号公報
【考案の概要】
【考案が解決しようとする課題】
【０００５】  上記した空気清浄機付の空気調和機では、空気清浄機により汚染したエアーを清浄化してから空気調和し汚染を防止して、しかも、空気清浄機の清掃などのメンテナンスも行い易くしているものの、部屋内の温度調節のための冷暖房を主体とする空気調和機の運転状況により、常に空気清浄機の運転が支配されることになって、空気清浄機の運転が適切になされない状況が多々生じる。【０００６】  したがって、この空気清浄機付の空気調和機は、汚染したエアーを空気清浄機により充分に清浄化しないまま、空気調和機内に入る虞があり、特に、熱交換フィンの熱交換効率の低下や空気調和機の内面全体に付着した成分による悪臭の拡散、並びに厄介な洗浄作業を、予期したほど軽減できないことになる。【０００７】  そこで、本考案は、上記事情に鑑みてなされたもので、空気清浄機を空気調和機の運転状況に左右されずに運転でき、清浄化したエアーのみを空気調和機に送り内部の汚れを防ぐと共に、空気調和機の運転停止時も空気清浄機を運転出来て、エアーを清浄化することができる空気清浄機付空気調和システムを提供することを課題とする。
【課題を解決するための手段】
【０００８】  本考案は、上記課題を達成するために提案されたものであって、下記の構成からなることを特徴とするものである。
すなわち、請求項１記載の考案は、少なくとも１ｍｍＨ２Ｏ以上の加圧状態を保持できるチャンバー内の上流側に空気清浄機を、その下流側に空気調和機をそれぞれ設置し、前記チャンバーに吸気口並びに空気清浄機側排気口及び空気調和機側排気口を設けてなり、前記空気清浄機におけるファンの送風量を少なくとも前記空気調和機におけるファンの送風量より大に設定して、前記チャンバー内を前記空気清浄機内を通過した後の清浄化エアーにて加圧状態を保持し、清浄化エアーのみが前記空気調和機内を通過するようにしたことを特徴とする空気清浄機付空気調和システムである。【０００９】  また、請求項２記載の考案は、前記空気清浄機側排気口におけるエアー通過抵抗が、前記空気調和機及び空気調和機側排気口における総エアー通過抵抗よりも大に設定したことを特徴とする空気清浄機付空気調和システムである。【００１０】  また、請求項３記載の考案は、前記チャンバーが、建造物内の部屋の一部を仕切板にて区画することにより形成したことを特徴とする空気清浄機付空気調和システムである。【００１１】  上記請求項１記載の考案による作用は次の通りである。
すなわち、空気清浄機のファンを作動させると、チャンバーに設けてある吸気口からエアーが入り空気清浄機を通過して清浄化エアーとなり、空気清浄機より下流側のチャンバー内を清浄化エアーにて加圧状態にし、その清浄化エアーを空気調和機のファンにて空気調和機内に取り込み、予め設定した空気調和を行って、空気調和機側排気口から空気調和した清浄化エアーを排出する。一方、空気調和機のファンにて空気調和機内に取り込まれなかった残りの清浄化エアーは、空気清浄機側排気口から排出される。【００１２】  上記請求項２記載の考案による作用は、空気清浄機側排気口のエアー通過抵抗が、空気調和機及び空気調和機側排気口における総エアー通過抵抗よりも大に設定してあるから、加圧状態にある空気清浄機より下流側のチャンバー内の清浄化エアーは、空気調和機にファンが無くても空気調和機内に優先して入り、予め設定された空気調和が行われて、空気調和機側排気口から空気調和された清浄化エアーが排出される。一方、双方のエアー通過抵抗の関係で、空気調和機内に入りきれなかった残りの清浄化エアーは、空気清浄機側排気口から排出される。【００１３】  上記請求項３記載の考案による作用は、チャンバーを建造物内の部屋の一部を仕切板にて区画することにより形成しても、上記第１及び第２の課題解決手段による作用を全うする。
【考案の効果】
【００１４】  以上詳述したように、本考案によれば、以下のような効果がある。
請求項１記載の考案は、空気清浄機を空気調和機の運転状況に左右されずに運転でき、清浄化したエアーのみを空気調和機に送りその内部の汚れを防ぐと共に、空気調和機の運転停止時も空気清浄機を運転してエアーを清浄化することができる効果がある。【００１５】  また、請求項２記載の考案は、空気調和機内のファンを省略しても、上記の効果を得ることが出来る。【００１６】  また、請求項３記載の考案は、建造物内の部屋の一部を利用してチャンバーを形成しても、上記の効果を得ることが出来る。
【図面の簡単な説明】
【００１７】
【図１】本考案の実施の形態を示す空気清浄機付空気調和システムの断面図である（実施例１）。
【図２】本考案の空気清浄機付空気調和システムを示す正面図である（実施例１）。
【図３】本考案の空気清浄機付空気調和システムの空気清浄機を示す断面図である（実施例１）。
【図４】本考案の空気清浄機付空気調和システムを示す平面図である（実施例１）。
【考案を実施するための形態】
【実施例１】
【００１８】  図面において、空気清浄機付空気調和システム１は、少なくとも１ｍｍＨ２Ｏ以上の加圧状態を保持できるチャンバー２内の上流側に空気清浄機３を、その下流側に空気調和機４をそれぞれ設置し、チャンバー２に吸気口５並びに空気清浄機側排気口６及び空気調和機側排気口７を設けてなり、空気清浄機３におけるファン８（以下、空気清浄機用ファン８という）の送風量Ｑ１を少なくとも空気調和機４におけるファン９（以下、空気調和機用ファン９という）の送風量Ｑ２より大（Ｑ１＞Ｑ２）に設定して、チャンバー２内を空気清浄機３内を通過した後の清浄化エアーにて加圧状態を保持し、清浄化エアーのみが空気調和機４内を通過するようにしたことを特徴とするものである。【００１９】  前記チャンバー２は、建造物内の部屋１０の一部を利用したものであり、部屋１０の隅部１０ａを仕切板１１にて区画することにより形成している。このチャンバー２は、少なくとも１ｍｍＨ２Ｏ以上の加圧状態を保持できる密閉性が要求されるが、この密閉性の度合は、最終的にチャンバー２内に設置される空気清浄機３及び空気調和機４の性能により決まるが、１ないし２０ｍｍＨ２Ｏの範囲に入るのが望ましい。【００２０】  このチャンバー２の仕切板１１には、中間位置に吸気口５が設けられ、上部位置に空気調和機側排気口７が設けられ、さらに、下部位置に空気清浄機側排気口６が設けられている。なお、チャンバー２は、部屋１０の隅部１０ａを仕切板１１にて区画することにより形成したが、吸気口５、後述のダクト１６、空気清浄機３、空気清浄機側排気口６、空気調和機４、後述のダクト１７及び空気調和機側排気口７を互いに密封状態で接続することで、一体的に形成しても何ら差し支えない。【００２１】  前記空気清浄機３は、エアー中の煙草のけむり、浮遊する粉塵、悪臭成分などを除去できるものであれば、特に限定がない。すなわち、この空気清浄機３は、エアー中の粒子を粗取りするプレフィルター１２、微細粒子を除去する電気集塵機１３、臭いや超微細粒子を除去する脱臭フィルター１４及び排出する前記空気清浄機用ファン８を、エアーの流れに沿い筐体１５内に順次組み込まれたものが使用される。なお、チャンバー２の吸気口５から筐体１５に至る間はダクト１６にてチャンバー２内で密封状態で接続し、筐体１５の出口１５ａからチャンバー２内で開放状態となっている。これは、空気清浄機用ファン８にてチャンバー２内を少なくとも１ｍｍＨ２Ｏ以上の加圧状態を保持するためである。【００２２】  また、前記空気清浄機用ファン８の能力は、チャンバー２内を少なくとも１ｍｍＨ２Ｏ以上の加圧状態を保持出来、且つ、空気調和機４内に空気調和機用ファン９が設置されている場合は、その送風量Ｑ１が空気調和機用ファン９の送風量Ｑ２より大に設定出来るものであれば、特に限定がない。なお、この実施例１では、空気清浄機３を２台設置しているから、空気清浄機用ファン８も２台あり、２台で上記の条件をクリアー出来れば良い。さらに、前記プレフィルター１２は、空気清浄機３内に取り付けず、吸気口５に取り付けても良く、さらに、双方に取り付けてあっても良い。【００２３】  前記空気調和機４は、市販の空気調和機器をそのまま流用出来、その場合、空気調和機用ファン９が内蔵されているから、空気清浄機用ファン８の送風量Ｑ１は、少なくとも空気調和機用ファン９の送風量Ｑ２より大に設定してあることが、重要である。その他の空気調和機４としての能力は、部屋１０内における設定した空気調和条件により、それを満足していれば良い。なお、空気調和機４の出口４ａから空気調和機側排気口７に至る間はダクト１７にてチャンバー２内で接続されている。【００２４】  そして、空気調和機４から空気調和機用ファン８を外して、空気清浄機３内にある空気清浄機用ファン７にて代用しても良い。この場合、空気清浄機用ファン８は、単独にて、チャンバー２内に設置してある空気調和機４内に、空気調和機用ファン９の能力に見合う清浄化エアー量を送風出来ることが条件となる。さらに、チャンバー２内が少なくとも１ｍｍＨ２Ｏ以上の加圧状態に保持されているので、前記空気清浄機側排気口６から清浄化エアーが排出され、空気調和機４内に入りづらくなり、部屋１０内の空気調和が不十分となる虞が出てくる。したがって、空気清浄機側排気口６におけるエアー通過抵抗Ｒ１が、空気調和機４及び空気調和機側排気口７における総エアー通過抵抗Ｒ２よりも大に設定する必要がある。したがって、空気清浄機側排気口６にはパンチングメタルなど開口面積比率を自由に選択できるものが張られ、エアー通過抵抗Ｒ１＞総エアー通過抵抗Ｒ２となるように、空気清浄機側排気口６のエアー通過抵抗Ｒ１が調整される。【００２５】  上記のようにすることで、加圧状態にある空気清浄機３より下流側のチャンバー２内の清浄化エアーは、空気調和機４内に空気調和機用ファン９が無くても、空気調和機４内に優先して入り込み、予め設定された空気調和が行われて、空気調和機側排気口７から空気調和した清浄化エアーが排出され、その一方で、双方のエアー通過抵抗Ｒ１、Ｒ２の関係で、空気調和機４内に入り切れなかった残りの清浄化エアーは、空気調和されないまま空気清浄機側排気口６から排出される。【００２６】  なお、空気清浄機３には、汚れセンサ２０が取り付けられ、空気調和機４にも少なくとも温度センサ２１が取り付けられているから、これらの汚れセンサ２０及び温度センサ２１により、前記空気清浄機付空気調和システム１は、以下の表に示すような運転パターンが実行される。
0003162730.tif 000003
【００２７】  次に、上記構成になる空気清浄機付空気調和システム１の運転状況を説明する。
まず、上記表における運転パターン１の場合は、すなわち、汚れセンサ２０及び温度センサ２１の計測により、部屋１０内のエアーが汚染され且つ室温が適温の範囲外にある（高いか低いか）場合は、空気清浄機３及び空気調和機４が共に運転となる。空気清浄機３の空気清浄機用ファン８により、部屋１０内の汚染され且つ室温が適温の範囲外のエアーが、吸気口４からチャンバー２内にあるダクト１６を通って空気清浄機３の筐体１５内に入り、プレフィルター１２、電気集塵機１３、脱臭フィルター１４を通って清浄化されて、出口４ａから筐体１５外に排出される。この排出された清浄化エアーによりチャンバー２内が少なくとも１ｍｍＨ２Ｏ以上の加圧状態になって、さらに、空気調和機４の空気調和機用ファン９により清浄化エアーが空気調和機４内に取り込まれて、熱交換などの空気調和がなされて適温の範囲内となり、ダクト１７を通ってチャンバー２上部にある空気調和機側排気口７から部屋１０内に排出される。この循環を継続することで、汚染され且つ室温が適温の範囲外にあるエアーは徐々に改善される。【００２８】  上記の改善により、部屋１０内のエアーが、汚れセンサ２０及び温度センサ２１の計測により、汚染状態は解消されてはいないが室温が適温の範囲内になると、すなわち、上記表の運転パターン２の場合になると、空気清浄機３は運転を継続するが、空気調和機４は運転停止となる。この循環を継続することで、室温が適温の範囲内にあるが汚染されているエアーは、その汚染が徐々に改善される。【００２９】  上記汚染の改善により、部屋１０内のエアーが、汚れセンサ２０及び温度センサ２１の計測により、汚染状態は解消され、室温も適温の範囲内であることが継続されていると、すなわち、上記表の運転パターン３の場合になると、空気清浄機３及び空気調和機４は共に運転停止となる。この状態を継続することで、部屋１０内のエアーは徐々に汚染され、且つその室温が徐々に適温の範囲外に向かって進行する。【００３０】  上記汚染の進行及び室温の適温の範囲外への進行により、部屋１０内のエアーが、汚れセンサ２０及び温度センサ２１の計測によって、清浄状態は維持しているが、室温が適温の範囲外になると、すなわち、上記表の運転パターン４の場合になると、空気調和機４は運転を再開する。この状態を継続することで、部屋１０内のエアーは、その室温が適温の範囲内に向かって徐々に進行するが、逆に汚染が徐々に進行する。なお、空気清浄機用ファン８は、チャンバー２内を加圧状態に保持するため送風を継続し、あるいは運転停止してもよい。しかし、空気調和機用ファン９が無い場合、空気清浄機用ファン８は運転する必要がある。【００３１】  空気清浄機付空気調和システム１の運転状況は、いずれにしても、上記した運転パターン１ないし４のいずれかになる。どの運転パターンになるかは、部屋１０内のエアーの状況により、具体的には、汚れセンサ２０及び温度センサ２１の計測によって、決まるものである。【００３２】  以上、本考案の実施例１を説明したが、具体的な構成はこれに限定されず、本考案の要旨を逸脱しない範囲での変更・追加、各請求項における他の組み合わせにかかるものも、適宜可能であることが理解されるべ��である。
【産業上の利用可能性】
【００３３】  空気清浄機を空気調和機の運転状況に左右されずに運転でき、常に清浄化したエアーのみを空気調和機に送り、その内部の汚れを防いで清掃ローテイションを長く延ばしたいような場合に、その利用可能性が極めて高くなる。
【符号の説明】
【００３４】１                    空気清浄機付空気調和システム
２                    チャンバー
３                    空気清浄機
４                    空気調和機
５                    吸気口
６                    空気清浄機側排気口
７                    空気調和機側排気口
８                    空気清浄機用ファン
９                    空気調和機用ファン
１０                  部屋
１０ａ                隅部
１１                  仕切板
１２                  プレフィルター
１３                  電気集塵機
１４                  脱臭フィルター
１５                  筐体
１５ａ、４ａ          出口
１６、１７            ダクト
２０                  汚れセンサ
２１                  温度センサ
Ｑ１                  空気清浄機用ファンの送風量
Ｑ２                  空気調和機用ファンの送風量
Ｒ１                  エアー通過抵抗
Ｒ２                  総エアー通過抵抗
【図１】
0003162730.tif 000004
【図２】
0003162730.tif 000005
【図３】
0003162730.tif 000006
【図４】
0003162730.tif 000007